(57)【要約】【課題】  ＩＣインレットの故障が防止され、擬似接着の剥離力が一定に制御されたＩＣインレット入り擬似接着シートおよびＩＣインレット入り粘着性記録シートを提供する。【解決手段】  本発明のＩＣインレット入り擬似接着シート１０は、第１の基材１１と、第２の基材１２と、第１の基材１１と第２の基材１２との間の少なくとも一部に形成された水系擬似接着剤からなる擬似接着層１３と、第１の基材１１における擬似接着層１３側表面に設けられたＩＣインレット１４とを有する。この擬似接着シート１０においては、第１の基材１１に、ＩＣインレット１４を備えた所定形状の紙票１１ａを輪郭付ける切り込み１１ｂが形成されていてもよい。本発明のＩＣインレット入り粘着性記録シート１は、上記ＩＣインレット入り擬似接着シート１０と、ＩＣインレット入り擬似接着シート１０の第１の基材または第２の基材１２に隣接している粘着剤層２０とを有する。【選択図】      図２
2007072947.tif 000002
【特許請求の範囲】
【請求項１】
第１の基材と、第２の基材と、第１の基材と第２の基材との間の少なくとも一部に形成された水系擬似接着剤からなる擬似接着層と、第１の基材における擬似接着層側表面に設けられたＩＣインレットとを有することを特徴とするＩＣインレット入り擬似接着シート。
【請求項２】
第１の基材に、ＩＣインレットを備えた所定形状の紙票を輪郭付ける切り込みが形成されている請求項１に記載のＩＣインレット入り擬似接着シート。
【請求項３】
請求項１または２に記載のＩＣインレット入り擬似接着シートと、該ＩＣインレット入り擬似接着シートの第１の基材または第２の基材に隣接している粘着剤層とを有するＩＣインレット入り粘着性記録シート。
【請求項４】
一部が折り返されて形成された折り返し領域および該折り返し領域以外の領域である非折り返し領域を備える基材と、該基材の折り返し領域と非折り返し領域との間に形成された水系擬似接着層からなる擬似接着層と、基材の折り返し領域における擬似接着層側表面に設けられたＩＣインレットとを有することを特徴とするＩＣインレット入り擬似接着シート。
【請求項５】
基材の折り返し領域に、ＩＣインレットを備えた所定形状の紙票を輪郭付ける切り込みが形成されている請求項４に記載のＩＣインレット入り擬似接着シート。
【請求項６】
請求項４または５に記載のＩＣインレット入り擬似接着シートと、該ＩＣインレット入り擬似接着シートの基材に隣接している粘着剤層とを有するＩＣインレット入り粘着性記録シート。
【請求項７】
粘着剤層上に剥離シートが積層されている請求項３または６に記載のＩＣインレット入り粘着性記録シート。
【発明の詳細な説明】
【技術分野】
【０００１】
本発明は、ＩＣインレットを備えたカード、チケット、伝票類などの紙票が擬似接着により台紙に保持されたＩＣインレット入り擬似接着シートおよびＩＣインレット入り粘着性記録シートに関する。
【背景技術】
【０００２】
カード、チケット、伝票類などの紙票が台紙に保持されたシートとして、表面基材である第１の基材と台紙である第２の基材とこれらの間に形成された擬似接着層とを有し、第１の基材に所定形状の紙票に輪郭付ける切り込みが形成されたものが挙げられる。
この擬似接着シートの紙票を例えばカードとして使用する場合には、カードに顧客の個別情報等を、それ以外の部分にカードの説明や利用規約などを印刷し、その印刷した擬似接着シートを顧客に送付する。そして、顧客が切り込みの内側部分を引き剥がし、擬似接着層の層間剥離または界面剥離によりカードを第２の基材から分離して利用する。
上記紙票を伝票類として用いる場合には、第２の基材に粘着加工を施すことが多い。例えば、上記擬似接着シートと、該擬似接着シートの第２の基材上に形成された粘着剤層とを有し、擬似接着シートの第１の基材に形成された紙票を配送票とした粘着性記録シートが知られている。この粘着性記録シートを用いた物品の配送では、粘着性記録シートの配送票やその他の部分に必要事項を記入し、物品に粘着性記録シートを貼り付けて配送し、配送が完了した際に、配送票を配送者が回収する。
【０００３】
近年、チケット、カード、伝票類などにおいては、記録する情報の量を増やすことが求められており、ＩＣとアンテナとを備えるＩＣインレットを内蔵することが検討されている（例えば、特許文献１参照。）。
ＩＣインレット入りの擬似接着シートを製造する方法としては、下記（１）〜（４）の方法が考えられる。
（１）第２の基材上に溶融した樹脂を積層して擬似接着層を形成し、その擬似接着層上に、ＩＣインレットが設けられた第１の基材を貼り合わせる押出ラミネート法。
（２）第２の基材上に圧着糊を塗布した後、溶媒を完全に除去して擬似接着層を形成し、その上に、ＩＣインレットが設けられた第１の基材を貼り合わせる圧着糊塗布法。
（３）ＩＣインレットが設けられた第１の基材のＩＣインレット側表面に溶剤系擬似接着剤を塗布し、その上に、第２の基材を積層した後、乾燥する溶剤系擬似接着剤塗布法。
（４）第２の基材上に擬似接着剤を塗布し、乾燥して擬似接着層を形成した後、擬似接着層上に、ＩＣインレットが設けられた第１の基材を貼り合わせ、さらに乾燥するドライラミネーション法。
【特許文献１】特開２００２−３２１８２７号公報
【発明の開示】
【発明が解決しようとする課題】
【０００４】
しかしながら、上記（１）〜（４）の方法は以下の問題を有している。
（１）の溶融ラミネート法では、基材上に積層する樹脂が高温である上に、両方の基材側から圧力をかけて圧着するため、ＩＣが破損してＩＣインレットが故障する上に、装置が大規模になるという問題がある。
（２）の圧着糊塗布法では、両方の基材側から大きな圧力をかけて圧着するため、ＩＣが破損してＩＣインレットが故障する。
（３）の溶剤系擬似接着剤塗布法では、有機溶剤によって、ＩＣインレットのＩＣとアンテナとを接合する導電性接着剤が溶解してしまい、ＩＣインレットが故障する。
（４）のドライラミネーション法では、擬似接着層における剥離の形態が界面剥離になり、基材の表面状態によって剥離力が異なってしまう。したがって、擬似接着の剥離力を一定に制御することが難しい。
したがって、これまでに考えられる方法では、ＩＣインレットの故障が防止され、擬似接着の剥離力が一定に制御されたＩＣインレット入り擬似接着シートおよびＩＣインレット入り粘着性記録シートを得ることができない。
本発明は、前記事情を鑑みてなされたものであり、ＩＣインレットの故障が防止され、擬似接着の剥離力が一定に制御されたＩＣインレット入り擬似接着シートおよびＩＣインレット入り粘着性記録シートを提供することを目的とする。
【課題を解決するための手段】
【０００５】
本発明の第１のＩＣインレット入り擬似接着シートは、第１の基材と、第２の基材と、第１の基材と第２の基材との間の少なくとも一部に形成された水系擬似接着剤からなる擬似接着層と、第１の基材における擬似接着層側表面に設けられたＩＣインレットとを有することを特徴とする。
第１のＩＣインレット入り擬似接着シートにおいては、第１の基材に、ＩＣインレットを備えた所定形状の紙票を輪郭付ける切り込みが形成されていてもよい。
本発明の第１のＩＣインレット入り粘着性記録シートは、上記第１のＩＣインレット入り擬似接着シートと、該ＩＣインレット入り擬似接着シートの第１の基材または第２の基材に隣接している粘着剤層とを有することを特徴とする。
本発明の第２のＩＣインレット入り擬似接着シートは、一部が折り返されて形成された折り返し領域および該折り返し領域以外の領域である非折り返し領域を備える基材と、該基材の折り返し領域と非折り返し領域との間に形成された水系擬似接着層からなる擬似接着層と、基材の折り返し領域における擬似接着層側表面に設けられたＩＣインレットとを有することを特徴とする。
第２のＩＣインレット入り擬似接着シートにおいては、基材の折り返し領域に、ＩＣインレットを備えた所定形状の紙票を輪郭付ける切り込みが形成されていてもよい。
本発明の第２のＩＣインレット入り粘着性記録シートは、上記第２のＩＣインレット入り擬似接着シートと、該ＩＣインレット入り擬似接着シートの基材に隣接している粘着剤層とを有することを特徴とする。
本発明のＩＣインレット入り粘着性記録シートにおいては、粘着剤層上に剥離シートが積層されていることが好ましい。
【発明の効果】
【０００６】
本発明のＩＣインレット入り擬似接着シートおよびＩＣインレット入り粘着性記録シートは、ＩＣインレットの故障が防止され、擬似接着の剥離力が一定に制御されたものである。
【発明を実施するための最良の形態】
【０００７】
（第１の実施形態）
本発明のＩＣインレット入り擬似接着シート（以下、擬似接着シートと略す。）の第１の実施形態について説明する。
図１に、本実施形態の擬似接着シートの断面図を示す。本実施形態の擬似接着シート１０は、表面基材となる第１の基材１１と、台紙となる第２の基材１２と、第１の基材１１と第２の基材１２の間に形成された擬似接着層１３と、第１の基材１１における擬似接着層１３側表面に設けられたＩＣインレット１４とを有するものである。なお、擬似接着層１３は、第１の基材１１と第２の基材１２の間におけるＩＣインレット１４以外の全部に形成されている。
また、擬似接着シート１０の第１の基材１１および擬似接着層１３における第１の基材１１側の部分には、ＩＣインレット１４を備えた所定形状の紙票１１ａを輪郭付ける切り込み１１ｂが形成されている。なお、紙票１１ａの形状は特に制限されず、目的に応じて適宜選択される。
【０００８】
第１の基材１１および第２の基材１２としては、例えば、紙類、フィルム類等を適宜使用できる。紙類としては、キャストコート紙、アート紙、コート紙、上質紙等の紙類、ポリプロピレン、ポリエチレン、ポリエチレンテレフタレートやポリブチレンテレフタレート等のポリエステル、ポリ塩化ビニル等の各種高分子フィルム、蒸着紙、合成紙、布、不織布、金属ホイル等から適宜選択される。さらに、これらの積層体を使用することもできる。
これらの中でも、第１の基材１１および第２の基材１２としては、表面に容易に印字可能であることから、紙類、合成紙が好ましい。
第１の基材１１と第２の基材１２は同じものであってもよいし、異なるものであってあってもよい。また、第１の基材１１および第２の基材１２の表面にはあらかじめ印刷が施されていてもよい。
【０００９】
擬似接着層１３は、水系擬似接着剤からなる層である。ここで、水系擬似接着剤としては、一般的に擬似接着に使用されているもの、例えば、水分散系接着剤および水溶性接着剤等が挙げられ、より具体的には、天然ゴム、合成ゴム等のゴム系接着剤；アクリル酸および／またはアクリル酸エステルを主なモノマー成分として含有するアクリル系接着剤；酢酸ビニル重合体、エチレン−酢酸ビニル共重合体（ＥＶＡ）等の、酢酸ビニルを主なモノマー成分として含有する酢酸ビニル系接着剤；澱粉、アルギン酸ナトリウム等の多糖系接着剤やデキストリン系接着剤等が挙げられる。
中でも、ゴム系、アクリル系、酢酸ビニル系、デキストリン系の接着剤が、接着性を任意に幅広くコントロールできるため好ましく、特に、酢酸ビニル系および／またはデキストリン系の接着剤がより好ましい。
擬似接着層１３中の水系擬似接着剤の含有量は１０〜１００質量％であることが好ましく、２０〜８０質量％であることがより好ましい。
【００１０】
擬似接着層１３には、水系擬似接着剤以外に接着力調節剤を含有することが好ましい。
接着力調節剤としては、ポリエチレンワックス等のワックス類、金属石鹸、無機顔料および有機顔料等が挙げられる。これらの接着力調節剤は、擬似接着層１３中に分散することで、擬似接着層１３の凝集力を低減させることができる。擬似接着層１３の凝集力を低減させることにより、第１の基材１１を剥離しやすくなる。
擬似接着層１３中の接着力調節剤の含有量は、第１の基材１１と第２の基材１２との接着強度や擬似接着層１３の凝集力等を考慮して適宜決定されるが、０〜９０質量％であることが好ましく、２０〜８０質量％であることがより好ましい。
【００１１】
ＩＣインレット１４とは、ＩＣを有する回路素子と該回路素子に接続されたアンテナと回路素子およびアンテナを支持する支持体とを備えたものである。
ＩＣとしては、例えば、キャリア周波数１３．５６ＭＨｚ、２．４５ＧＨｚ、ＵＨＦ帯に対応可能であり、縦横の長さが０．３〜５ｍｍで、厚さが３０〜２００μｍ程度のものが挙げられる。
アンテナとしては、金属箔あるいは感度が高くなるように、エッチング方式、巻線方式、印刷方式等でパターニングされた金属線などが挙げられる。
支持体としては、例えば、ポリエチレンテレフタレ−ト、ポリブチレンテレフタレ−ト、ポリエチレンナフタレ−トなどのポリエステル、ナイロン６、ナイロン６６、ナイロン６１０などのポリアミド、ポリエチレン、ポリプロピレン、ポリメチルペンテンなどのポリオレフィン、ポリ塩化ビニルなどのビニル系樹脂、ポリアクリレート、ポリメタクリレート、ポリメチルメタクリレートなどのアクリル系樹脂、ポリイミド、ポリアミドイミド、ポリエーテルイミドなどのイミド系樹脂、ポリアリレート、ポリスルホン、ポリエーテルスルホン、ポリフェニレンエ−テル、ポリフェニレンスルフィド（ＰＰＳ）、ポリアラミド、ポリエーテルケトン、ポリエーテルニトリル、ポリエーテルエーテルケトン、ポリエーテルサルファイト、ポリカーボネート、ポリスチレン、耐衝撃性ポリスチレン、ＡＳ樹脂、ＡＢＳ樹脂などのスチレン系樹脂、セロファン、セルローストリアセテート、セルロースダイアセテート、ニトロセルロースなどのセルロース系フィルムなどが挙げられる。この支持体に粘着加工を施しておけば第１の基材１１に容易に貼着できる。
【００１２】
擬似接着シート１０を製造するためには、例えば、まず、第１の基材１１上に、粘着加工されたＩＣインレット１４を貼合する。次いで、第２の基材１２上に擬似接着塗布液を塗布し、必要に応じて、一部の水分を除去して擬似接着層１３を形成する。
ここで、擬似接着剤塗布液としては、例えば、上記水系擬似接着剤が水に分散されているもの（例えば、溶液、エマルジョン、スラリー）が挙げられる。複数の水系擬似接着剤を混合する場合には、水系擬似接着剤の水溶液、エマルジョン、スラリーを混合することで擬似接着剤塗布液を調製できる。擬似接着剤塗布液中の擬似接着剤の含有量は、全固形分の１０〜１００質量％であることが好ましく、２０〜８０質量％であることがより好ましい
擬似接着剤塗布液の塗布方法としては、例えば、ブレードコーター、エアナイフコーター、ロールコーター、バーコーター、グラビアコーター、ロッドブレードコーター、リップコーター、ダイコーター、カーテンコーター等が挙げられる。
【００１３】
次いで、形成された擬似接着層１３上に、ＩＣインレット１４が貼合された第１の基材１１を、ＩＣインレット１４が擬似接着層１３に接するように積層した後、乾燥して水分を完全に除去することにより、ＩＣインレット入りの積層体を得る。
ここで、乾燥方法としては、例えば、熱風による乾燥、赤外線照射による乾燥などが挙げられる。
そして、ＩＣインレット入りの積層体に、第１の基材１１側から打ち抜き刃を当て、第１の基材１１および擬似接着層１３における第１の基材１１側の部分に、ＩＣインレット１４を備えた所定形状の紙票１１ａを輪郭付ける切り込み１１ｂを入れて、粘着性記録シート１を得る。
上記製造方法では、第２の基材１２上に形成された擬似接着層１３と、ＩＣインレット１４が貼合された第１の基材１１とを積層したが、第１の基材１１およびＩＣインレット１４上に擬似接着塗布液を塗布して擬似接着層１３を形成し、その擬似接着層１３上に第２の基材１２を積層しても構わない。
また、擬似接着層の塗布面積は、ＩＣインレットの大きさと同等以上であることが好ましい。
【００１４】
以上説明した擬似接着シート１０は、ＩＣインレット１４を備えた紙票１１ａが台紙である第２の基材１２に保持されたシートとして使用される。ここで、紙票１１ａとしては、例えば、会員証や健康保険証などのカード、入場券などのチケットなどが挙げられる。
以下、擬似接着シート１０の使用方法の一例として紙票１１ａが会員証である場合について説明する。まず、第１の基材１１および第２の基材１２の表面に印刷が施された擬似接着シート１０を用意する。なお、紙票１１ａ以外の部分には、会員証の使用方法、会員規約、会の情報などを印刷しておく。次いで、擬似接着シート１０の紙票１１ａ（会員証）に会員の個別情報（住所、氏名、会員番号等）を印字するとともに、ＩＣインレット１４のＩＣにも会員の個別情報を電子的に書き込む。
そして、その擬似接着シート１０を会員に送付する。紙票１１ａが保持された擬似接着シート１０を受け取った会員は、切り込み１１ｂの内側を引き剥がし、擬似接着層１３を層間剥離させて会員証である紙票１１ａを得る。
【００１５】
上記擬似接着シート１０では、擬似接着層１３が水系擬似接着剤からなるため、擬似接着層１３形成の際に高温の樹脂が接すること、両方の基材側から大きな圧力をかけること、有機溶剤を使用することがない。したがって、ＩＣの破壊やＩＣとアンテナとを接合する導電性接着剤の溶解が防がれ、ＩＣインレット１４の故障が防止されている。
また、水系擬似接着剤からなる擬似接着層１３では、剥離の形態が層間剥離であるため、剥離力が基材の表面状態に依存しにくくなっている。したがって、擬似接着の剥離力を一定に制御しやすい。
【００１６】
次に、第１の実施形態におけるＩＣインレット入り粘着性記録シート（以下、粘着性記録シートと略す。）について説明する。
図２に、本実施形態の粘着性記録シートの断面図を示す。この粘着性記録シート１は、擬似接着シート１０と、擬似接着シート１０の第２の基材１２に隣接している粘着剤層２０と、粘着剤層２０に隣接している剥離シート３０とを有するものである。
【００１７】
粘着剤層２０を形成する粘着剤としては、例えば、ゴム系、アクリル系、ウレタン系、ビニルエーテル系等の任意の粘着剤を使用できる。これらの中でも、耐候性、透明性等に優れ、広範な用途に使用できることから、アクリル系粘着剤が好ましく、アクリル系粘着剤としては、エマルジョン型、溶剤型、ホットメルト型等があり、本発明においては、いずれの型のものも使用できる。これらの中でも、安全面、品質面、コスト面からエマルジョン型アクリル系粘着剤が好ましい。
さらに、粘着剤層２０は、必要に応じて他の任意成分を含有してもよい。他の任意成分としては、タッキファイヤー、粘着性微球体、増粘剤、ｐＨ調整剤、消泡剤、防腐防黴剤、顔料、無機充填剤、安定剤、濡れ剤、湿潤剤等が挙げられる。タッキファイヤーとしては、ロジン系樹脂、テルペン系樹脂、脂肪族系石油樹脂、芳香族系石油樹脂、水添石油樹脂、スチレン系樹脂、アルキルフェノール樹脂等が挙げられる。
【００１８】
剥離シート３０としては、キャストコート紙、アート紙、コート紙、上質紙、クラフト紙、グラシン紙等の紙の表面に、必要に応じて目止め層を形成した上で、シリコーン系等の剥離剤を塗布した剥離シートを好適に使用することができる。
【００１９】
粘着性記録シート１を製造するためには、まず、擬似接着シート１０の製造と同様にして、ＩＣインレット１４が設けられた第１の基材１１と第２の基材１２との間に擬似接着層１３を形成してＩＣインレット入りの積層体を得る。次いで、その積層体における第２の基材１２の表面に粘着剤塗布液を塗布し、乾燥して粘着剤層２０を形成する。粘着剤塗布液としては、例えば、上記粘着剤が各種溶媒に分散されたものが挙げられる。この粘着剤塗布液の塗布方法としては、擬似接着剤塗布液の塗布方法と同様の方法が挙げられる。
そして、粘着剤層２０上に剥離シート３０を積層した後、第１の基材１１側から打ち抜き刃を当て、第１の基材１１および擬似接着層１３の第１の基材１１側の部分に、ＩＣインレット１４を備えた所定形状の紙票１１ａを輪郭付ける切り込み１１ｂを入れて、粘着性記録シート１を得る。
【００２０】
上記粘着性記録シート１では、紙票１１ａを伝票類として用いることで在庫管理、配送などに使用される伝票類などに好適に使用される。
以下、粘着性記録シート１を配送に使用する例について説明する。
まず、配送票である紙票１１ａに備えられたＩＣインレット１４のＩＣに配送先の情報等のデータを書き込むとともに、必要に応じて、紙票１１ａ表面に目視により判読可能な情報を印字する。次いで、粘着性記録シート１から剥離シート３０を剥離して、粘着剤層２０を露出させ、露出した粘着剤層２０を物品または物品を収納した包装体の表面に貼着する。これ以後、データが書き込まれたＩＣおよび印字した情報によって物品の配送を管理することができる。そして、物品が配送先に届けられた際に、紙票１１ａ（配送票）を配送者が引き剥がす。このとき、擬似接着層１３にて層間剥離が生じるため、第２の基材１２からカードを容易に剥離することができ、配送者の控えおよびＩＣインレット１４を回収することができる。
【００２１】
以上説明した第１の実施形態の粘着性記録シート１は、擬似接着層１３が水系擬似接着剤からなるため、上記擬似接着シート１０と同様に、ＩＣインレット１４の故障が防止され、擬似接着の剥離力が一定に制御されたものである。
【００２２】
なお、上記第１の実施形態では、擬似接着シート１０および粘着性記録シート１に切り込み１１ｂが形成されていたが、必ずしも切り込み１１ｂが形成されていなくてもよい。切り込み１１ｂが形成されていない場合には、擬似接着シートや粘着性記録シートをあらかじめカード、チケット、伝票類などの紙票の形状にしておくことが好ましい。切り込みが形成されていない擬似接着シートおよび粘着性記録シートでは、第１の基材の全部を引き剥がし、擬似接着層にて層間剥離を生じさせて、ＩＣインレットを備えた第１の基材を第２の基材から剥離する。
また、上記実施形態では、擬似接着層１３は、第１の基材１１と第２の基材１２の間におけるＩＣインレット１４以外の全部に形成されていたが、第１の基材１１と第２の基材１２の間の一部に形成されていてもよい。例えば、第１の基材１１および第２の基材１２の片側半分の領域にＩＣインレットを設けつつ擬似接着層を形成し、もう片側の半分の領域に接着剤や強粘着剤などからなる強接着層を形成してもよい。このような構成は帳票管理が容易になるため好ましい。
【００２３】
また、粘着性記録シート１は、物品に貼着されている際には剥離シート３０が剥離されているから、本発明の粘着性記録シートにおいては、剥離シート３０は必須の構成ではない。また、剥離シートを省略した形態として、第１の基材１１の表面を離型処理しておき、その離型処理された第１の基材１１の表面に粘着剤層２０を積層させつつ巻き回したものも挙げられる。
【００２４】
（第２の実施形態）
本発明の擬似接着シートおよび粘着性記録シートの第２の実施形態について説明する。なお、本実施形態において、第１の実施形態と同じ構成のものは図１および図２と同じ符号を付して説明を省略する。
図３に、本実施形態の粘着性記録シートの断面図を示す。この粘着性記録シート２は、擬似接着シート４０と、擬似接着シート４０に隣接している粘着剤層２０と、粘着剤層２０に隣接している剥離シート３０とを有するものである。
ここで、擬似接着シート４０は、半分が折り返されて形成された折り返し領域１５ａおよび折り返し領域１５ａ以外の領域である非折り返し領域１５ｂを備えた基材１５と、基材１５の折り返し領域１５ａと非折り返し領域１５ｂとの間に形成された水系擬似接着層からなる擬似接着層１３と、基材１５の折り返し領域１５ａにおける擬似接着層１３側表面に設けられたＩＣインレット１４とを有するものである。また、擬似接着シート４０の基材１５の折り返し領域１５ａおよび擬似接着層１３における基材１５の折り返し領域１５ａ側の部分には、ＩＣインレット１４を備えた所定形状の紙票１１ａを輪郭付ける切り込み１１ｂが形成されている。
また、この粘着性記録シート２では、粘着剤層２０が、擬似接着シート４０における基材１５の非折り返し領域１５ｂに隣接している。
【００２５】
粘着性記録シート２を製造するためには、例えば、まず、基材１５の片面の半分の領域に第１の実施形態と同様の擬似接着塗布液を塗布し、必要に応じて、一部の水分を除去して擬似接着層１３を形成する。また、基材１５の片面の、擬似接着層１３が形成されていない側の領域の一部にＩＣインレット１４を貼合する。その後、擬似接着層１３が形成された領域と形成されていない領域の境界線にて基材１５を折り返し、折り返し領域１５ａを擬似接着層１３に貼着して積層体を得る。
次いで、その積層体における基材１５の非折り返し領域１５ｂ表面に粘着剤塗布液を塗布し、乾燥して粘着剤層２０を形成する。そして、粘着剤層２０上に剥離シート３０を積層した後、基材１５の折り返し領域１５ａ側から打ち抜き刃を当て、基材１５の折り返し領域１５ａおよび擬似接着層１３に、ＩＣインレット１４を備えた所定形状の紙票１１ａを輪郭付ける切り込み１１ｂを入れて、粘着性記録シート２を得る。
【００２６】
上述した第２の実施形態の粘着性記録シート２は、擬似接着層１３が水系擬似接着剤からなるため、第１の実施形態と同様に、ＩＣインレット１４の故障が防止され、擬似接着の剥離力が一定に制御されたものである。
また、粘着性記録シート２においても、第１の実施形態と同様に、紙票１１ａを伝票類として用いることで在庫管理、配送などに使用される伝票類などに好適に使用される。
【００２７】
なお、上記第２の実施形態では、折り返し領域１５ａの擬似接着層１３側表面にＩＣインレット１４が設けられていたが、非折り返し領域１５ｂの擬似接着層１３側表面にＩＣインレット１４が設けられていてもよい。
上記第２の実施形態では、基材１５が半分に二つ折りされているため、折り返し領域１５ａと非折り返し領域１５ｂとが同じ面積になっていたが、折り返し領域１５ａと非折り返し領域１５ｂとが異なる面積であっても構わない。ただし、その場合、ＩＣインレット１４は、基材の折り返し領域または非折り返し領域における擬似接着層に重なる領域に設けられる。
【００２８】
また、粘着剤層２０の形成位置は、上記第２の実施形態のように、ＩＣインレット１４が設けられていない非折り返し領域１５ｂに隣接していることが好ましいが、本発明ではその他の位置であっても構わない。
上記第２の実施形態は、粘着剤層２０および剥離シート３０を有する粘着性記録シート２であったが、本発明では、粘着剤層および剥離シートを有さない擬似接着シート４０のみでも利用することもできる。
【実施例】
【００２９】
（実施例１）
第１の基材である上質紙（坪量；６４ｇ／ｍ２、Ａ５版）を用意し、この上質紙片面における長辺方向が長辺の約１／３の位置かつ短辺方向が短辺の略中央の位置にＩＣインレット（ｉ−ＣＯＤＥ、４８ｍｍ×４８ｍｍ）を、貼合機を組み入れた印刷機により貼着した。なお、このＩＣインレットの片面には粘着加工が施されている。
次いで、上質紙のＩＣインレット設置側表面およびＩＣインレット上に、水系擬似接着剤を含む擬似接着塗布液（商品名；フルタイトＦＢ１３１、酢酸ビニル系擬似接着剤、有効成分；４４質量％、三井物産ソルベントコーティング社製）を、乾燥後の塗工量が６ｇ／ｍ２になるように塗工して擬似接着層を形成した。次いで、擬似接着層上に、第２の基材である上質紙（坪量；６４ｇ／ｍ２、Ａ５版）を貼付し、乾燥して擬似接着シートを得た。
【００３０】
（実施例２）
第１の基材である上質紙（坪量；６４ｇ／ｍ２、Ａ５版）を用意し、この上質紙片面における長辺方向が長辺の約１／３の位置かつ短辺方向が短辺の略中央の位置にＩＣインレット（ｉ−ＣＯＤＥ、４８ｍｍ×４８ｍｍ）を、貼合機を組み入れた印刷機により貼着した。
次いで、上質紙の前記片面におけるＩＣインレットが設置されていない方の半分の領域に、水系擬似接着剤を含む擬似接着塗布液（商品名；フルタイトＦＢ１３１、酢酸ビニル系擬似接着剤、有効成分；４４質量％、三井物産ソルベントコーティング社製）を、乾燥後の塗工量が６ｇ／ｍ２になるように塗工して擬似接着層を形成した。次いで、図４に示すように、ＩＣインレット１４を挟み込むように上質紙（基材１５）を半分に折り畳み、ＩＣインレット１４が貼付された領域を擬似接着層１３が形成された領域に貼り付け、乾燥して擬似接着シートを得た。
【００３１】
（実施例３）
第１の基材である上質紙（坪量；６４ｇ／ｍ２、Ａ５版）を用意し、このこの上質紙片面における長辺方向が長辺の約１／３の位置かつ短辺方向が短辺の略中央の位置にＩＣインレット（ｉ−ＣＯＤＥ、４８ｍｍ×４８ｍｍ）を、貼合機を組み入れた印刷機により貼着した。
次いで、上質紙の前記片面におけるＩＣインレットが設置されている方の半分の領域に、水系擬似接着剤を含む擬似接着塗布液（商品名；フルタイトＦＢ１３１、酢酸ビニル系擬似接着剤、有効成分；４４質量％、三井物産ソルベントコーティング社製）を、乾燥後の塗工量が６ｇ／ｍ２になるように塗工して擬似接着層を形成した。また、上質紙の前記片面におけるＩＣインレットが設置されていない方の半分の領域に、強粘着剤（商品名；アクリル系エマルジョン粘着剤、ＳＶＰ６０１、サイデン化学社製）を、乾燥後の塗工量が６ｇ／ｍ２になるように塗工して強接着層を形成した。そして、擬似接着層および強接着層上に第２の基材（坪量；６４ｇ／ｍ２、Ａ５版）を貼り合わせ、乾燥して擬似接着シートを得た。
【００３２】
第１の基材と第２の基材との間に水系擬似接着剤からなる擬似接着層が形成された実施例１，３の擬似接着シート、第１の基材の折り返し領域と非折り返し領域との間に水系擬似接着層からなる擬似接着層が形成された実施例２の擬似接着シートは、ＩＣインレットの故障が防止され、擬似接着の剥離力が一定に制御されたものである。
【図面の簡単な説明】
【００３３】
【図１】本発明に係る第１の実施形態のＩＣインレット入り擬似接着シートを示す断面図である。
【図２】本発明に係る第１の実施形態のＩＣインレット入り粘着性記録シートを示す断面図である。
【図３】本発明に係る第２の実施形態のＩＣインレット入り粘着性記録シートを示す断面図である。
【図４】本発明の実施例２におけるＩＣインレット入り粘着性記録シートの製造工程を示す図である。
【符号の説明】
【００３４】
１，２  粘着性記録シート（ＩＣインレット入り粘着性記録シート）、１０，４０  擬似接着シート（ＩＣインレット入り擬似接着シート）、１１  第１の基材、１１ａ  紙票、１１ｂ  切り込み、１２  第２の基材、１３  擬似接着層、１４  ＩＣインレット、１５  基材、１５ａ  折り返し領域、１５ｂ  非折り返し領域、２０  粘着剤層、３０  剥離シート
【図１】
2007072947.tif 000003
【図２】
2007072947.tif 000004
【図３】
2007072947.tif 000005
【図４】
2007072947.tif 000006